(57)【要約】      （修正有）【課題】ロール状に巻かれたシート材料を引き出して切断する際に用いられるカッターにおいて、切断性能は従来とほぼ同程度でありながら、指に切り傷などが生じにくい切断歯を提供することを目的とするものである。【解決手段】ガードバーを二つの切断歯の間のカッター本体の根元に設けるか、切断歯の一部に一体的に設けるか、連続する切断歯の根元部付近ないし切断歯と一部重合するようにカッター本体をその長手方向に折りたたんだ折りたたみ部として設けるかあるいはカッター本体とは別に切断歯を端部に有する切断部材を用いて同様にカッター本体の先端部分を切断歯の根元付近あるいは切断歯と重合するようにして設けるか、あるいは切断歯付近のカッター本体部分を半円筒形形状に形成して設けるなどの方法によりガードバーを設けることにより解決する。【選択図】  図１
2004202619.tif 000002
【特許請求の範囲】
【請求項１】
カッター本体と切断歯とガードバーを有するロール状に巻かれたシート材料を引き出して切断する際に用いられるカッターにおいて、
ガードバーが切断歯間に切断歯の面に対してほぼ直角にカッター本体に設けられたことを特徴とするカッター。
【請求項２】
請求項1に記載のカッターにおいて、ガードバーの形状がほぼ四角形形状またはほぼ台形形状のいずれかであることを特徴とする前記カッター。
【請求項３】
カッター本体と切断歯とガードバーを有するロール状に巻かれたシート材料を引き出して切断する際に用いられるカッターにおいて、
ガードバーが切断歯の面に対してほぼ直角に切断歯自体に取り付けられていることを特徴とする上記カッター。
【請求項４】
請求項3に記載のカッターにおいて、切断歯の形状が三角形形状であってその一辺にガードバーが設けられていることを特徴とするカッター。
【請求項５】
カッター本体と切断歯とガードバーを有するロール状に巻かれたシート材料を引き出して切断する際に用いられるカッターにおいて、
カッター本体の一端部に切断歯が設けられ、かつカッター本体が前記一端部に向かってＳ字状に折りたたまれて、第１の折りたたみ部と第２の折りたたみ部を形成し、第１の折りたたみ部が切断歯の下部あるいは切断歯の根元部と重合して、またはこれらのいずれかの対応する位置に離隔して設けられ、この第１の折りたたみ部がガードバーを形成していることを特徴とするカッター。
【請求項６】
カッターが一部品カッターであることを特徴とする請求項１ないし請求項５に記載のカッター。
【請求項７】
金属シートから製造されたものであることを特徴とする請求項１ないし請求項６に記載のカッター。
【請求項８】
金属シートの一端部に切断歯をカットしたのち、カッター本体を切断歯のある一端部に向かってＳ字状に折り曲げて製造することを特徴とする請求項５に記載のカッターの製造方法。
【請求項９】
カッター本体と切断歯とガードバーを有するロール状に巻かれたシート材料を引き出して切断する際に用いられるカッターにおいて、
カッターがカッター本体と切断歯が設けられた切断部材とよりなり、カッター本体の一端部が切断部材の切断歯と一部重合するかあるいは根元部に沿って重合し、前記一端部がガードバーを構成していることを特徴とするカッター。
【請求項１０】
カッター本体と切断歯とガードバーを有するロール状に巻かれたシート材料を引き出して切断する際に用いられるカッターにおいて、
カッター本体の一端部に切断歯が設けられており、切断歯の根元付近あるいは切断歯の一部を包含する部分が一端部方向にほぼ半筒状の形状になった構造となってガードバーを構成していることを特徴とするカッター。
【請求項１１】
カッターが一部品カッターであることを特徴とする請求項１０に記載のカッター。
【請求項１２】
金属シートから製造されたものであることを特徴とする請求項１０ないし１１に記載のカッター。
【請求項１３】
カッター本体と切断歯とガードバーを有するロール状に巻かれたシート材料を引き出して切断する際に用いられるカッターにおいて、
カッター本体の一端部に切断歯が設けられており、かつ板状部材またはＬ字状部材のガードバーが切断歯の根元付近にそってあるいは切断歯に一部重合するように固着されていることを特徴とするカッター。
【発明の詳細な説明】
【０００１】
【発明の属する分野】
本願発明は、ラップフィルム、アルミニウムホイル、クッキングペーパー、セロハンテープ、粘着テープなどのシート材料を切断する際に用いられるカッターに関する。
【０００２】
【従来の技術】
ラップフィルム、アルミニウムホイル、粘着テープなどのシート材料はロール状に巻かれており、使用する際にはロール状態から引き出され、所望の長さに切断して使用されている。
【０００３】
このようなシート材料を切断するためには、鋸歯状の切断歯を有するカッターが使用されており、このカッターは一般に０．２ミリ程度の厚さの金属板や硬質プラスチック板などの材料を打ち抜いて製造されている。そして、連続して並んだ切断歯は、おのおの左右対称な二等辺三角形形状を備え、切断歯の歯先と谷部の深さは最大で約１ミリ程度のものが多い。
【０００４】
このようなシート材料を切断するための鋸歯状のカッターの改良としては、たとえば、従来では、切断歯の集合歯を外側の集合歯より内側の集合歯の突出量を階段状に減少させて、切り終わり時におけるシート材料の切断性能を向上させるとともに接触物を傷つけにくいカッターが提案されている（たとえば、特許文献１参照。）し、また、連接する多数の切断歯の突出先端面に鋭角部を備えておらず、かつ先端面と側面との少なくとも一方の交差部が鋭角となっているカッターが提案されており、このようにすることにより接触物の傷つけにくくかつ切断性能を低下させないものであるとされている（たとえば、特許文献２参照。）。
【０００５】
このように、従来のこれらの切断歯に関する提案は、主として、切断しようとする材料のラップフィルムなどが傷つかないようにするとともにその一方では切断性能が低下しないようにすることに主眼がおかれている。
【０００６】
また、先端が平坦な台形状の切断歯からなるカッターが提案され、接触物が傷つくのを回避しているが切断性能が劣るとされている（たとえば、特許文献３（図２１、図２２）および特許文献２（段落０００３）参照。）。
【０００７】
しかしながら、実際にラップフィルムなどを使用する現場、とくに家庭や商店とか調理現場などでは、主婦とか作業する者などがよく水を使用する一方で材料をラップフィルムでくるんだりする必要がある。このような場合に、指に皮膚は柔らかくなっていることもあったり、大急ぎでラップしなければならないなどのことからどうしても指が切断歯に接触して切り傷などを発生してしまうことがしばしばである。このため、切断性能もさることながら、切断歯による切り傷などが発生しにくいものが求められている。
【０００８】
特許文献１
特開２００１−１８１８７号公報
特許文献２
特開２０００−１９０２７７号公報
特許文献３
特開平９−７７０５５号公報
【０００９】
【発明が解決しようとする課題】
本願の発明は、上述の従来の欠点にかんがみてなされたもので、切断性能は従来とほぼ同程度でありながら、指に切り傷などが生じにくい切断歯を提供することを目的とするものである。
【００１０】
【課題を解決する手段】
そこで、従来の切断歯を有するカッターにおいてさらにガードバーを設けることによりこの問題を解決することができるという知見を得て本願発明にいたったものである。すなわち、ラップフィルムなどを切断するカッターにおいて、ガードバーを二つの切断歯の間の根元に設けるか、切断歯の一部に一体的に設けるか、連続する切断歯の根元部付近ないし切断歯と一部重合するようにカッター本体を折りたたんだ折りたたみ部として設けるかあるいはカッター本体とは別に切断歯を端部に有する切断部材を用いて同様にカッター本体の先端部分を切断歯の根元付近あるいは切断歯と重合するようにして設けるか、あるいは切断歯付近のカッター本体部分を半円筒形形状に形成して設けるなどの方法によりガードバーを設けることにより解決したものである。
【００１１】
より詳細に本願発明を説明すると、本願発明は、以下に記載するカッターに関するものである。
【００１２】
（１）カッター本体と切断歯とガードバーを有するロール状に巻かれたシート材料を引き出して切断する際に用いられるカッターにおいて、
ガードバーが切断歯間に切断歯の面に対してほぼ直角にカッター本体に設けられたことを特徴とするカッター。
（２）前記（１）記載のカッターにおいて、ガードバーの形状がほぼ四角形形状またはほぼ逆台形形状のいずれかであることを特徴とする前記カッター。
（３）カッター本体と切断歯とガードバーを有するロール状に巻かれたシート材料を引き出して切断する際に用いられるカッターにおいて、
ガードバーが切断歯の面に対してほぼ直角に切断歯自体に取り付けられていることを特徴とする上記カッター。
（４）前記（３）記載のカッターにおいて、切断歯の形状が三角形形状であってその一辺にガードバーが設けられていることを特徴とするカッター。
（５）カッター本体と切断歯とガードバーを有するロール状に巻かれたシート材料を引き出して切断する際に用いられるカッターにおいて、
カッター本体の一端部に切断歯が設けられ、かつカッター本体が前記一端部に向かってＳ字状に折りたたまれて、第１の折りたたみ部と第２の折りたたみ部を形成し、第１の折りたたみ部が切断歯の一部と重合してあるいは根元部に沿って、またはこれらのいずれかの対応する位置に離隔して設けられ、この第１の折りたたみ部がガードバーを形成していることを特徴とするカッター。
（６）カッターが一部品カッターであることを特徴とする（１）ないし（５）に記載のカッター。
（７）金属シートから製造されたものであることを特徴とする（１）ないし（６）に記載のカッター。
（８）金属シートの一端部に切断歯をカットしてからカッター本体から切断歯のある一端部に向かってカッター本体をＳ字状に折り曲げることを特徴とする（５）に記載のカッターの製造方法。
（９）カッター本体と切断歯とガードバーを有するロール状に巻かれたシート材料を引き出して切断する際に用いられるカッターにおいて、
カッターがカッター本体と切断歯が設けられた切断部材とよりなり、カッター本体の一端部が切断部材の切断歯と一部重合するかあるいは根元部に沿って重合し、前記一端部がガードバーを構成していることを特徴とするカッター。
（１０）カッター本体と切断歯とガードバーを有するロール状に巻かれたシート材料を引き出して切断する際に用いられるカッターにおいて、
カッター本体の一端部に切断歯が設けられており、切断歯の根元付近あるいは切断歯の一部を包含する部分が一端部方向にほぼ半筒状の形状になった構造となってガードバーを構成していることを特徴とするカッター。
（１１）カッターが一部品カッターであることを特徴とする（１０）に記載のカッター。
（１２）金属シートから製造されたものであることを特徴とする（１０）ないし（１１）に記載のカッター。
（１３）カッター本体と切断歯とガードバーを有するロール状に巻かれたシート材料を引き出して切断する際に用いられるカッターにおいて、
カッター本体に一端部に切断歯が設けられており、かつ板状部材またはＬ字状部材のガードバーが切断歯の根元付近あるいは切断歯に一部重合するように固着されていることを特徴とするカッター。
【００１３】
上述のように本願発明は、カッター本体と切断歯とガードバーを有するロール状に巻かれたシート材料を引き出して切断する際に用いられるカッターにおいて、ガードバーを二つの切断歯の間の根元に設けるか、切断歯の一部に一体的に設けるか、連続する切断歯の根元部付近ないし切断歯と一部重合するようにカッター本体を折りたたんだ折りたたみ部として設けるか、あるいはカッター本体とは別体の端部に切断歯を有する切断部材を用いて同様にカッター本体の先端部分を切断部材の切断歯の根元付近あるいは切断歯と重合するようにして設けるか、あるいは切断歯付近のカッター本体部分を半円筒形形状に形成して設けるか、切断歯の根元付近あるいは切断歯の一部に重合するように長手方向に板状部材またはＬ字状部材のものを設けることにより目的を達成するものである。
【００１４】
ガードバーは、指が切断歯に食い込むことを防止するものである。切断歯に指の皮膚が食い込まれた状態で指を動かしたりすると指先を切ったり、いためたりすることになる。しかし、ガードバーを切断歯の根元付近とか切断歯と一部重合するようにして設けると、指がそれ以上に食い込むことがないし、傷ついたとしてもそれほどいためることにはならない。
【００１５】
請求項１や請求項２などの発明のようにガードバーが切断歯間に設けられる場合には、切断歯とガードバーが交互に設けらればかりではなく数個の切断歯が連続した後にガードバーを設けるというようにしても差し支えないが、あまり切断歯が連続した後にガードバーを設けると本願発明の効果が失われかねないので、連続するとしても3個内外切断歯を連続させるのがよい。この一群を単位としてガードバーと交互に配置するのがよい。そして、ガードバーは切断歯あるいはカッター本体の面とほぼ直角となるように設けられる。
【００１６】
このような場合のガードバーの形状としては、ガードバーの役目をする形状であるのであればどのようなものでも差し支えない。たとえば、四角形形状、半円形の形状、逆台形形状などの形状が挙げられるがこの形状に限定されるものではない。切断歯は通常０．４ないし1ミリ程度の高さであるが、切断歯の高さを大きくとりすぎるとガードバーの効果が失われる可能性があるので、ガードバーの面から切断歯の先端までの高さは０．３ないし０．５ミリ程度、好ましくは０．４ミリ程度とすることが望ましい。
【００１７】
このようなカッターの場合には請求項６とか請求項７のように一部品カッター（一体物）ないし金属シートからの一部品カッターとすることが製造する場合に有利である。このような場合には、金属シートに切断歯とガードバーを同時にカットし、そのあとガードバー部分のみを金属シートの面に対してほぼ直角に折り曲げることにより製造すればよい。
【００１８】
請求項３ないし請求項４の発明のようにガードバーが切断歯の面に対してほぼ直角に切断歯自体に取り付ける場合には、切断歯となる部分の一部を折り曲げて形成することができる。図７ないし図９にみるように、切断歯は、カッター本体の一端部に設け、その形状はほぼ二等辺三角形の形状であって、しかもその一辺にガードバーとなるように直角に折り曲げてほぼ台形や三角形の形状のガードバーを設ければよい。このようにすることによりほぼ二等辺三角形の形状の切断歯がシート材料を切断するので、ガードバーの存在にかかわらず切断歯の切れ味はほとんど変わらない。
【００１９】
このようなカッターの場合には請求項６とか請求項７のように一部品カッター（一体物）ないし金属シートからの一部品カッターとすることが製造する場合に有利である。このような場合には、金属シートに切断歯をカットし、そのあと切断歯のガードバー部分のみを金属シートの面に対してほぼ直角に折り曲げることにより製造すればよい。
【００２０】
請求項５ないし請求項８の発明のような場合、すなわちガードバーが、図１０ないし図１２にみるように、カッター本体が切断歯のある一端部に向かってＳ字状に折りたたまれて、第１の折りたたみ部と第２の折りたたみ部を形成しており、第１の折りたたみ部が切断歯の一部と重合するか根元部に沿って、またはこれらのいずれかの対応する位置に離隔して配置されるようになっていて、この第１の折りたたみ部がガードバーを形成している場合、このような場合にはたとえば金属シートの一端部に切断歯をカットし、Ｓ字状に折りたたんで２つの折りたたみ部を形成するように加工すれば一部品カッター（一体物）として容易に製造することができる。そして、折りたたみ部が離隔しないように加工された場合にカッター自体もかさばることもないので非常に使いやすいものである。この場合も同様に、ガードバーである折りたたみ部の面から切断歯の先端までの高さは０．３ないし０．５ミリ程度、好ましくは０．４ミリ程度とすることが望ましい。
【００２１】
さらに、ガードバーが切断歯の下部あるいは切断歯の根元部と重合する位置と対応する位置に離隔して設けられる場合、離隔される間隔は実際には１ミリ以下、たとえば０．４ミリとかいう程度のものが好ましい。
【００２２】
さらに、Ｓ字状に折りたたまれる場合に、Ｎ字状に折りたたまれる場合などの変形した折りたたまれ方も本願発明のＳ字状に折りたたまれる場合に包含される。さらに、切断歯の下部と重合するように設けられる場合に、重合の程度は、切断歯の先端部分がシート材料を切断するのに支障のない程度であればよく、たとえばその先端部分がわずかに出るような程度であっても切断できるのであれば差し支えない。
【００２３】
請求項９の発明のようにカッターがカッター本体と切断歯を有する切断部材とよりなり、カッター本体の一端部が切断部材の切断歯部分と一部重合するかあるいは根元部に重合し、前記一端部がガードバーを構成している場合には、プラスチックなどの材料により製造するのに便利である。カッター本体と切断部材とは別体であるので、たとえば、プラスチックの場合には色を相違させて色彩により切断歯を容易に区別させることができ、また切断歯の高さを両者の重合の度合いにより調節することができ、非常に便利である。またガードバーの固着位置も目視でき非常に作りやすいし、切断する場合も作業者は注意することができ、指を切ったり痛めたりすることが少なくなる。
【００２４】
カッターもかさばることもないので非常に使いやすいものである。この場合も同様に、ガードバーから切断歯の先端までの高さは０．３ないし０．５ミリ程度、好ましくは０．４ミリ程度とすることが望ましい。
【００２５】
請求項１０ないし１２の発明のようにカッター本体の一端部に切断歯が設けられており、切断歯の根元付近あるいは切断歯の一部を包含する部分が一端部方向にほぼ半筒状の形状の構造がガードバーを構成している場合には、ガードバーの設ける位置により切断歯の実質的な高さ（長さ）を調節することができる。すなわち、切断歯の根元をどの程度ガードバーの半筒状の構造に食い込ませるかによって切断歯の実質的長さ、あるいは高さを調節することができる。金属材料を用いて製造する場合には非常に加工しやすいので作りやすい。
【００２６】
この場合には、たとえば金属シートに切断歯をカットし、ついでガードバーとなる部分を半円筒状に通常の方法により加工すれば一部品カッターを容易に製造することができる。
【００２７】
ほぼ半筒状の形状には、その断面形状が半円形形状のものだけではなく、V字、コ字状  半楕円形などの変形した形状のものおよびクランク状形状のものも含まれる。
【００２８】
請求項１３の発明のように、ガードバーがカッター本体の一端部に切断歯が設けられカッター本体とは別体で板状部材またはＬ字状部材で作製し、この部材を切断歯の根元付近あるいは切断歯の一部を重合するように固着するものである場合、板状部材としては板状のものばかりではなく半円形形状のものも含まれる。このようなガードバーの場合には、プラスチックなどのように着色することによりカッター本体と区別することができ非常に便利である。またガードバーの固着位置も目視でき非常に作りやすいし、切断する場合も作業者は注意することができ、指を切ったり痛めたりすることが少なくなる。この場合も、ガードバーから切断歯の先端までの高さは０．３ないし０．５ミリ程度、好ましくは０．４ミリ程度とすることが望ましい。さらに、板状の場合にはカッターもかさばることもないので非常に使いやすいものである。
【００２９】
本願発明のカッターを製造する場合に使用することができる材料としては、公知の各種の材料を使用することができる。たとえば、ポリエチレンテレフタレートなどのポリエステル樹脂、ポリエチレンやポリプロピレンなどのポリオレフィン樹脂紙類、合成樹脂を含浸させた紙類、合成紙類、バルカナイズドファイバー、ステンレスやブリキなどの金属が挙げられる。さらに、繊維強化樹脂を挙げることもでき、この樹脂としてはメラミン樹脂、フェノール樹脂、尿素樹脂、ポリエステル樹脂、エポキシ樹脂、ポリスチレン樹脂、ポリブロピレン樹脂、ナイロン樹脂などの樹脂を広く使用することができる。繊維強化樹脂としては、たとえば、炭素繊維強化フェノール樹脂、ガラス繊維強化フェノール樹脂、ガラス繊維強化エポキシ樹脂、セルロース繊維強化メラミン樹脂、ガラス繊維強化ポリエステル樹脂などが挙げられる。
【００３０】
これらの材料は、カッターの構造と使用場所によって、これらの中から適宜選択される。
【００３１】
本願発明のカッターで切断することができる材料としては、ポリエチレン系樹脂、ポリプロピレン系樹脂、ポリエステル系樹脂、塩化ビニリデン系樹脂およびポリメチルペンテン等の合成樹脂フィルム、アルミニウムホイルなどの金属箔、グラシン紙、ワックス紙、吸水紙、吸油紙およびクッキング用のペーパーなどの紙類、セロファンテープ、アセテートテープおよびガムテープなどの粘着テープ類などがあげられる。
【００３２】
以下で、本願発明のカッターを図面を用いて説明する。
図１９は、従来のカッター９１を示すものである。このカッター９１は、カッター本体９２の端部に複数の切断歯９３からなるノコギリ歯状の集合歯９４によって構成されており、この切断歯９３の頂部から谷部までの深さは約０．４ないし１ミリ程度、歯の厚みは０．１ないし０．３ミリ程度のものである。しかしながら、通常、ラップなどのフィルムは、ロール状に巻かれ、たとえばロール収納箱に収納されている。このフィルムを所望の長さに引き出して切断して使用される。ところがこの際、切断歯の先端で指を痛めたり、切ってしまうことがしばしばある。これは指の皮膚が柔らかく、集合歯が皮膚に食い込むような状態になっても食い込みを防止するような構造となっていないことによるものである。
【００３３】
図１ないし図３は、本願発明の第１の例のカッター１を示すものである。図１はその部分斜視図を示し、図２はその部分正面図を示し、図３はその背面図を示すものである。
【００３４】
カッター１は、カッター本体２と切断歯３およびガードバー４よりなっている。そして、カッター本体２の長手方向の側端部に切断歯３が設けられており、切断歯と切断歯との間には、カッター本体が延在して舌片となり、この舌片がカッター本体２の面とほぼ直角に折り曲げられてガードバー４を構成している。この例においては、切断歯３の形状は、細く突出する二等辺三角形の形状であり、ガードバー４の形状はほぼ四角形の形状となっており、折り曲げられた長さは、切断歯の高さとほぼ同じである。
【００３５】
このガードバー４は、切断歯３と交互に設けられるものばかりではなく、数個の切断歯を一群とし、この一群とガードバー４が交互に設けられた構造としてもよい。この例においては切断歯３とガードバー４とを交互に配置した例を示してある。
【００３６】
このガードバー４が設けられているために、ロール状に巻かれたラップフィルムなどをロール収納箱から引き出して所望の長さに切断する場合に指が切断歯に食い込むことが防止され、指先を切ったり、いためたりすることが減少する。
【００３７】
図４ないし図６は、本願発明の第２の例のカッターを示すものである。図４はカッター１１の部分斜視図、図５は部分正面図、図６は部分背面図をそれぞれ示すものである。
【００３８】
この第２の例のカッター１１は、第１の例のカッター１の構造と同様であるがガードバー１４の形状が第１の例のガードバー４と相違し、逆台形の形状をしている。すなわち、カッター１１は、カッター本体１２と切断歯１３およびガードバー１４よりなっている。そして、カッター本体１２の一端部の長手方向に切断歯１３が設けられており、切断歯と切断歯との間にはカッター本体１２の面とほぼ直角となるようにカッター本体の一部が折り曲げられて延在しガードバー１４を構成する構造となっている。この例においては、切断歯１３の形状は、細く突出する二等辺三角形の形状であり、ガードバー１４の形状はほぼ逆台形の形状となっており、折り曲げられた長さは、切断歯の高さとほぼ同じである。
【００３９】
このガードバー１４は、切断歯１３と交互に設けられるものばかりではなく、数個の切断歯を一群とし、この一群とガードバー１４が交互に設けられた構造としてもよい。この例においては切断歯１３とガードバー１４とを交互に配置した例を示してある。
【００４０】
このガードバー１４が設けられているために、ロール状に巻かれたラップフィルムなどをロール収納箱から引き出して所望の長さに切断する場合に指が切断歯に食い込むことが防止され、指先を切ったり、いためたりすることが減少する。
【００４１】
図７ないし図９は、本願発明の第３の例のカッターを示すものである。図７はカッター２１の部分斜視図、図８は部分正面図、図９は部分背面図をそれぞれ示すものである。
【００４２】
この第３の例のカッター２１は、カッター本体２２と切断歯２３およびガードバー２４よりなっている。切断歯２３は、カッター本体２２の一端部に設けられ、その形状はほぼ二等辺三角形の形状をしている。この一つの斜辺にほぼ台形形状をしたガードバー２４が設けられている。この台形形状の代わりに三角形形状のものであってもよい。
【００４３】
このガードバー２４が設けられているために、ロール状に巻かれたラップフィルムなどをロール収納箱から引き出して所望の長さに切断する場合に指が切断歯に食い込むことがなく、指先を切ったり、いためたりすることが減少する。
【００４４】
図１０ないし図１２は、本願発明の第４の例のカッターを示すものである。図１０はカッター３１の部分斜視図、図１１は部分正面図、図１２は部分背面図をそれぞれ示すものである。
【００４５】
この第３の例のカッター３１は、カッター本体３２と切断歯３３およびガードバー３４よりなっている。カッター３１は、そのカッター本体３２の一端部に向けて第１の折りたたみ部３５、さらに第２の折りたたみ部３６を有し、かつ一端部に切断歯３３が形成されている。さらに、第１の折りたたみ部３５は切断歯３３の下部と重合して形成されるとともに、この第１の折りたたみ部３５がガードバー３４となっている。この場合、折りたたみ部と切断歯の下部とは固着されていてもよく、固着されている場合には固着されている折り畳み部（ガードバー）が切断歯を補強する効果があり、切断歯が損傷するなどのことが防止される。さらに、切断歯の下部と重合するように設けられる場合に、重合の程度は、切断歯の先端部分がシート材料を切断するのに支障のない程度であればよく、たとえばその先端部分がわずかに出るような程度であっても切断できるのであれば差し支えない。
【００４６】
この第１の折りたたみ部３５は切断歯３３の下部と重合するように形成されていなくてもよく、少なくとも切断歯３３の根元部と重合して形成されていればガードバーの役割を果たすものである。また、折りたたみ部３５は、切断歯３３の下部または根元部と重合するような位置と対応する位置に離隔して設けられていてもよい。
【００４７】
このガードバー３４が設けられているために、ロール状に巻かれたラップフィルムなどをロール収納箱から引き出して所望の長さに切断する場合に指が切断歯に食い込むことがなく、指先を切ったり、いためたりすることが減少する。
【００４８】
図１３ないし図１５は、本願発明の第５の例のカッター４１を示すものであり、図１３はカッター４１の部分正面図を示し、図１４はカッター４１の背面図を示し、図１５はカッター４１の断面図を示すものである。カッター４１はカッター本体４２と切断部材４５とよりなり、カッター本体４２の切断部側の長手方向の端部はガードバー４４を形成し、また切断部材４５のカッター本体と反対側の長手方向の端部には切断歯４３が形成されている。そして、ガードバー４４は、切断歯４３の根元部付近ないし切断歯の中間部付近まで重合されるようにカッター本体と切断部材とが一部積層され、固定されている。このような構成とすることにより、ラップフィルムなどを切断しようとする場合に、指が切断歯に食い込むことが防止されて指先をきったり、いためたりすることがなくなるとともに、切断歯がガードバーにより補強され、かつ保護されるという効果を奏する。
【００４９】
図１６ないし図１８は、本願発明の第６の例のカッター５１を示すものである。図１６は、カッター５１の部分正面図、図１７は部分背面図、図１８は断面図をそれぞれ示すものである。カッター５１はカッター本体５２の長手方向の端部に向かってほぼ半円筒状を形成するように膨らんでガードバー５４を形成し、さらにカッター本体５２の延長した面上に切断歯５３が形成されている。この例の場合、切断歯５３はガードバー５４の半円筒状の構造の一部に食い込むように形成されている。もちろん、このようにガードバーに食い込ませないで切断歯を形成させてもよいことはもちろんである。
【００５０】
ほぼ半筒状の形状には、その断面形状が半円形形状のものだけではなく、V字、コ字状  半楕円形などの変形した形状のものであっても差し支えない。
【００５１】
このガードバー５４が設けられているために、ロール状に巻かれたラップフィルムなどをロール収納箱から引き出して所望の長さに切断する場合に指が切断歯に食い込むことが防止され、指先を切ったり、いためたりすることが減少する。
【００５２】
図１９は、本願発明の第７の例のカッター６１を示すもので、その部分斜視図である。
【００５３】
カッター６１は、カッター本体６２と切断歯６３およびガードバー６４よりなっている。そして、カッター本体６２の長手方向の側端部に切断歯６３が設けられており、切断歯の根元付近に板状部材のガードバー６４が固着されているものである。この例では、ガードバー６４は、切断歯の根元に沿って設けられているが、第４例や第５例のように切断歯の下部と重合するようにガードバーを設けることができる。また、重合した部分が切断歯と同様な形状に成形されていてもよい。このガードバーとして細い板状部材が示されているが、このような板状部材ばかりではなく、半円柱状の部材とか半筒状の部材を使用することもでき、このような部材も板状部材に包含される。
【００５４】
このガードバー６４が設けられているために、ロール状に巻かれたラップフィルムなどをロール収納箱から引き出して所望の長さに切断する場合に指が切断歯に食い込むことが防止され、指先を切ったり、いためたりすることが減少する。
【００５５】
図２０は、本願発明の第８の例のカッター７１を示す部分斜視図である。
カッター７１は、カッター本体７２と切断歯７３およびガードバー７４よりなっている。そして、カッター本体７２の長手方向の側端部に切断歯７３が設けられており、切断歯の一部と重合するようにＬ字状部材のガードバー７４が固着されている。
【００５６】
このガードバー７４が設けられているために、ロール状に巻かれたラップフィルムなどをロール収納箱から引き出して所望の長さに切断する場合に指が切断歯に食い込むことが防止され、指先を切ったり、いためたりすることが減少する。
【００５７】
【発明の効果】
本願発明のカッターは、ロール状に巻かれたラップフィルムなどをロール収納箱から引き出して所望の長さに切断する場合に指が切断歯に食い込むことが防止され、指先を切ったり、いためたりすることが減少するばかりでなく、製造が容易であり、使用する材料によって、作業者は切断歯を容易に確認できるし、カッターに美的感覚を与えることができるなどの効果を奏する。
【図面の簡単な説明】
【図１】本願発明の第１の例のカッターの部分斜視図。
【図２】第１の例の部分正面図。
【図３】第１の例の部分背面図。
【図４】本願発明の第２の例のカッターの部分斜視図。
【図５】第２の例の部分正面図。
【図６】第２の例の部分背面図。
【図７】本願発明の第３の例のカッターの部分斜視図。
【図８】第３の例の部分正面図。
【図９】第３の例の部分背面図。
【図１０】本願発明の第４の例のカッターの部分斜視図。
【図１１】第４の例の部分正面図。
【図１２】第４の例の部分背面図。
【図１３】本願発明の第５の例のカッターの部分正面図。
【図１４】第５の例の部分背面図。
【図１５】第５の例の断面図。
【図１６】本願発明の第６の例のカッターの部分正面図。
【図１７】第６の例の部分背面図。
【図１８】第６の例の断面図。
【図１９】本願発明の第７の例のカッターの部分斜視図。
【図２０】本願発明の第８の例のカッターの部分斜視図。
【図２１】従来のカッターの正面図を示す。
【符号の説明】
１、１１、２１、３１、４１、５１、６１、７１、９１：カッター
２、１２、２２、３２、４２、５２、６２、７２、９２：カッター本体
３、１３、２３、３３、４３、５３、６３、７３、９３：切断歯
４、１４、２４、３４、４４、５４、６４，７４：ガードバー
３５：第１の折りたたみ部
３６：第２の折りたたみ部
４５：切断部材
９４：集合歯
【図１】
2004202619.tif 000003
【図２】
2004202619.tif 000004
【図３】
2004202619.tif 000005
【図４】
2004202619.tif 000006
【図５】
2004202619.tif 000007
【図６】
2004202619.tif 000008
【図７】
2004202619.tif 000009
【図８】
2004202619.tif 000010
【図９】
2004202619.tif 000011
【図１０】
2004202619.tif 000012
【図１１】
2004202619.tif 000013
【図１２】
2004202619.tif 000014
【図１３】
2004202619.tif 000015
【図１４】
2004202619.tif 000016
【図１５】
2004202619.tif 000017
【図１６】
2004202619.tif 000018
【図１７】
2004202619.tif 000019
【図１８】
2004202619.tif 000020
【図１９】
2004202619.tif 000021
【図２０】
2004202619.tif 000022
【図２１】
2004202619.tif 000023